(57)【要約】【課題】異種装置を下流装置として接続した画像形成システムにおいて制限を生じさせずに動作状態を改善する。【解決手段】用紙に対して画像を形成する上流装置と、前記上流装置により画像が形成された前記用紙に対して用紙処理を施す下流装置と、前記上流装置と前記下流装置との間で通信相手先が定められた状態で通信を行う専用通信経路と、前記上流装置と前記下流装置との間で通信相手先が選択可能な状態で通信を行う汎用通信経路と、を有し、前記専用通信経路と前記汎用通信経路とのそれぞれで扱える情報を分担して伝達するように制御する。【選択図】図１
2014201005.tif 000002
【特許請求の範囲】
【請求項１】
用紙に対して画像を形成する上流装置と、
前記上流装置により画像が形成された前記用紙に対して用紙処理を施す下流装置と、
前記上流装置と前記下流装置との間で通信相手先が定められた状態で通信を行う専用通信経路と、
前記上流装置と前記下流装置との間で通信相手先が選択可能な状態で通信を行う汎用通信経路と、
を備えて構成され、
前記専用通信経路と前記汎用通信経路とのそれぞれで扱える情報を分担して伝達する、
ことを特徴とする画像形成システム。
【請求項２】
前記専用通信経路は、前記上流装置と前記下流装置の動作に必要な情報のみの伝達を行い、
前記汎用通信経路は、前記上流装置と前記下流装置の動作に必要な情報の伝達を行うほかに、前記上流装置と前記下流装置以外の機器が接続された場合には該機器との情報伝達が可能に構成されている、
ことを特徴とする請求項１に記載の画像形成システム。
【請求項３】
前記上流装置は、用紙に対して画像を形成する画像形成装置と、前記画像形成装置により画像が形成された前記用紙に対して用紙処理を施すと共に前記下流装置の前段に接続される用紙処理装置とを含んで構成され、
前記専用通信経路は、前記画像形成装置と前記用紙処理装置との間で通信を行う第１専用通信経路と、前記用紙処理装置と前記下流装置との間で通信を行う第２専用通信経路とを含んで構成され、
前記汎用通信経路は、前記画像形成装置と前記下流装置との間で通信を行うよう構成される、
ことを特徴とする請求項１−２に記載の画像形成システム。
【請求項４】
前記第１専用通信経路で伝達される情報は、前記第２専用通信経路で伝達される情報が少なくとも含まれており、
前記汎用通信経路で伝達される情報は、前記第１専用通信経路で伝達される情報が含まれると共に他の情報が含まれる、
ことを特徴とする請求項３に記載の画像形成システム。
【請求項５】
前記第１専用通信経路はシリアル通信により情報を伝達するよう構成され、
前記第２専用通信経路はパラレル通信により情報を伝達するよう構成される、
ことを特徴とする請求項３−４に記載の画像形成システム。
【請求項６】
前記第２専用通信経路を介して前記下流装置と接続される前記用紙処理装置は、前記画像形成装置からの前記第１専用通信経路を介した情報を前記第２専用通信経路を介した情報に変換して前記下流装置に伝達し、前記下流装置からの前記第２専用通信経路を介した情報を前記第１専用通信経路を介した情報に変換して前記画像形成装置に伝達する機能を有する、
ことを特徴とする請求項３−５のいずれか一項に記載の画像形成システム。
【請求項７】
前記上流装置は、前記画像形成装置の後段に複数の直列に接続される前記用紙処理装置を備えて構成され、
複数の前記用紙処理装置同士は前記第１専用通信経路を介して接続され、
最後段の前記用紙処理装置と前記下流装置との間は前記第２専用通信経路で接続される、
ことを特徴とする請求項３−６のいずれか一項に記載の画像形成システム。
【請求項８】
前記上流装置は、前記画像形成装置の後段に直列に接続された複数の前記用紙処理装置を備えて構成され、
前記汎用通信経路を介して前記下流装置から前記画像形成装置に用紙処理情報が伝達された場合に、
前記画像形成装置は、
前記汎用通信経路を介して前記下流装置に対して第１処理情報を伝達し、
前記第１専用通信経路を介して前記用紙処理装置に対して前記第１処理情報を含む第２処理情報を伝達し、
複数の最後尾の前記用紙処理装置は、
前記第２専用通信経路を介して前記下流装置に対して第２処理情報の一部である第３処理情報を伝達する、
ことを特徴とする請求項３に記載の画像形成システム。
【請求項９】
前記第１処理情報は、ページ面付け及び禁則に関する情報であり、
前記第２処理情報は、用紙長、搬送速度、坪量、排出タイミング、及び用紙処理タイミングに関する情報であり、
前記第３処理情報は、排出及び用紙処理に関する情報である、
ことを特徴とする請求項８に記載の画像形成システム。
【請求項１０】
前記下流装置で異常が発生した場合に、
前記下流装置は、前記下流装置の異常発生を示す第１異常情報を生成して前記第２専用通信経路を介して前記用紙処理装置に伝達し、
前記用紙処理装置は、前記下流装置状態と前記第１異常情報とから第２異常情報を生成して前記第１専用通信経路を介して前記画像形成装置に伝達し、
前記下流装置は、該下流装置の異常状態に基づく第３異常情報を生成して前記汎用通信経路を介して前記画像形成装置に伝達する、
ことを特徴とする請求項３に記載の画像形成システム。
【請求項１１】
前記第１異常情報は、異常発生有無を示す情報であり、
前記第２異常情報は、前記第１異常情報と前記装置状態とから生成される情報であり、
前記第３異常情報は、異常発生と異常内容とを含む情報である、
ことを特徴とする請求項１０に記載の画像形成システム。
【請求項１２】
前記上流装置は、前記汎用通信経路を介して接続された外部機器から動作停止の指示を含む停止指示情報を伝達されて動作を停止し、
前記下流装置は、前記汎用通信経路を介して前記外部機器から用紙処理情報を伝達されて動作を継続する、
ことを特徴とする請求項３に記載の画像形成システム。
【請求項１３】
用紙に対して画像を形成する上流装置と、
前記上流装置により画像が形成された前記用紙に対して用紙処理を施す下流装置と、
前記上流装置と前記下流装置との間で通信相手先が定められた状態で通信を行う専用通信経路と、
前記上流装置と前記下流装置との間で通信相手先が選択可能な状態で通信を行う汎用通信経路と、
を有する画像形成システムで通信を制御する画像形成システム通信制御方法であって、
前記専用通信経路と前記汎用通信経路とのそれぞれで扱える情報を分担して伝達する、
ことを特徴とする画像形成システム通信制御方法。
【請求項１４】
前記専用通信経路は、前記上流装置と前記下流装置の動作に必要な情報のみの伝達を行い、
前記汎用通信経路は、前記上流装置と前記下流装置の動作に必要な情報の伝達を行うほかに、前記上流装置と前記下流装置以外の機器が接続された場合には該機器との情報伝達を行う、
ことを特徴とする請求項１３に記載の画像形成システム通信制御方法。
【請求項１５】
前記上流装置は、用紙に対して画像を形成する画像形成装置と、前記画像形成装置により画像が形成された前記用紙に対して用紙処理を施すと共に前記下流装置の前段に接続される用紙処理装置とを含んで構成され、
前記専用通信経路は、前記画像形成装置と前記用紙処理装置との間で通信を行う第１専用通信経路と、前記用紙処理装置と前記下流装置との間で通信を行う第２専用通信経路とを含んで構成され、
前記画像形成装置と前記下流装置とは、前記汎用通信経路を介して通信を行う、
ことを特徴とする請求項１３−１４に記載の画像形成システム通信制御方法。
【請求項１６】
前記第１専用通信経路で伝達される情報は、前記第２専用通信経路で伝達される情報が少なくとも含まれており、
前記汎用通信経路で伝達される情報は、前記第１専用通信経路で伝達される情報が含まれると共に他の情報が含まれる、
ことを特徴とする請求項１５に記載の画像形成システム通信制御方法。
【請求項１７】
前記第１専用通信経路はシリアル通信により情報を伝達を行い、
前記第２専用通信経路はパラレル通信により情報を伝達を行う、
ことを特徴とする請求項１５−１６に記載の画像形成システム通信制御方法。
【請求項１８】
前記第２専用通信経路を介して前記下流装置と接続される前記用紙処理装置は、前記画像形成装置からの前記第１専用通信経路を介した情報を前記第２専用通信経路を介した情報に変換して前記下流装置に伝達し、前記下流装置からの前記第２専用通信経路を介した情報を前記第１専用通信経路を介した情報に変換して前記画像形成装置に伝達する機能を有する、
ことを特徴とする請求項１５−１７のいずれか一項に記載の画像形成システム通信制御方法。
【請求項１９】
前記上流装置は、前記画像形成装置の後段に複数の直列に接続される前記用紙処理装置を備えて構成され、
複数の前記用紙処理装置同士は前記第１専用通信経路を介して通信を行い、
最後段の前記用紙処理装置と前記下流装置とは前記第２専用通信経路を介して通信を行う、
ことを特徴とする請求項１５−１８のいずれか一項に記載の画像形成システム通信制御方法。
【請求項２０】
前記上流装置は、前記画像形成装置の後段に直列に接続された複数の前記用紙処理装置を備えて構成され、
前記汎用通信経路を介して前記下流装置から前記画像形成装置に用紙処理情報が伝達された場合に、
前記画像形成装置は、
前記汎用通信経路を介して前記下流装置に対して第１処理情報を伝達し、
前記第１専用通信経路を介して前記用紙処理装置に対して前記第１処理情報を含む第２処理情報を伝達し、
複数の最後尾の前記用紙処理装置は、
前記第２専用通信経路を介して前記下流装置に対して第２処理情報の一部である第３処理情報を伝達する、
ことを特徴とする請求項１５に記載の画像形成システム通信制御方法。
【請求項２１】
前記第１処理情報として、ページ面付け及び禁則に関する情報を伝達し、
前記第２処理情報として、用紙長、搬送速度、坪量、排出タイミング、及び用紙処理タイミングに関する情報を伝達し、
前記第３処理情報として、排出及び用紙処理に関する情報を伝達する、
ことを特徴とする請求項２０に記載の画像形成システム通信制御方法。
【請求項２２】
前記下流装置で異常が発生した場合に、
前記下流装置は、前記下流装置の異常発生を示す第１異常情報を生成して前記第２専用通信経路を介して前記用紙処理装置に伝達し、
前記用紙処理装置は、前記下流装置状態と前記第１異常情報とから第２異常情報を生成して前記第１専用通信経路を介して前記画像形成装置に伝達し、
前記下流装置は、該下流装置の異常状態に基づく第３異常情報を生成して前記汎用通信経路を介して前記画像形成装置に伝達する、
ことを特徴とする請求項１５に記載の画像形成システム通信制御方法。
【請求項２３】
前記第１異常情報として、異常発生有無を示す情報を伝達し、
前記第２異常情報として、前記第１異常情報と前記装置状態とから生成される情報を伝達し、
前記第３異常情報として、異常発生と異常内容とを含む情報を伝達する、
ことを特徴とする請求項２２に記載の画像形成システム通信制御方法。
【請求項２４】
前記上流装置は、前記汎用通信経路を介して接続された外部機器から動作停止の指示を含む停止指示情報を伝達されて動作を停止し、
前記下流装置は、前記汎用通信経路を介して前記外部機器から用紙処理情報を伝達されて動作を継続する、
ことを特徴とする請求項１５に記載の画像形成システム通信制御方法。
【発明の詳細な説明】
【技術分野】
【０００１】
本発明は、画像形成装置に異種の用紙処理装置が接続された画像形成システムおける通信制御方法の改良に関する。
【背景技術】
【０００２】
画像形成装置において各種の用紙処理装置を接続して画像形成システムを構成することで、さまざまな製本処理が可能になり、印刷装置として使用することができる。
たとえば、用紙の中央で用紙を中折りにした用紙束として、その束の折り目部分にステープル処理をして中綴じ製本が可能である。また、中綴じした用紙束の背の部分にローラ等で圧力を掛け、角の折り目をつけて背表紙部分を作り、無線綴じに似た状態にする角背処理が可能である。また、このような折り目をつける前処理として、折り目をつける予定の位置に、クリーサー（creaser）と呼ばれる筋付け装置を用いて筋付け処理を施して筋を付けることが行われる。そして、筋付け処理の後に折り処理を実行することで、複数枚の用紙を纏めた状態で折り処理を行っても、折り目が膨らむことを防止できる利点がある。また、折り処理の前に筋付け処理をしておくことで、折り処理時に、用紙凸面側の折り目部分でトナーが剥がれる現象を防止できるという利点もある。
【０００３】
このようにさまざまな製本処理を実行する場合には、画像形成装置の後段に、機能の異なる何台かの用紙処理装置を直列に接続して、画像形成された用紙に用紙処理装置で処理を施すことで、所望の状態に製本された結果物を得るようにしている。
【０００４】
そして、このような画像形成装置や用紙処理装置により構成される画像形成システムにおいて、先頭から最後尾の装置まで用紙を受け渡すだけでなく、各種制御信号やセンサ検知結果を互いに伝達する必要がある。通常は、直列に画像形成装置と用紙処理装置とを接続し、互いの用紙処理機の通信機能を介して情報を伝達していくように構成されている。
【０００５】
ここで、通信される内容としては、用紙処理装置による複雑で多様な用紙処理を十分に機能させるため、またはシステム全体を高い生産性で連携して動作させるために、排紙タイミング、紙種、装置状態などの多種かつ大量の情報を遅滞なく伝達する必要がある。そのため、各装置間の通信は、高速なシリアル通信で大量のデータを送信できるように構成されている。
【０００６】
一方、近年では多様の用紙処理装置が求められており、１社の装置のみで多様な処理に対応する用紙処理装置を揃えるのは困難となってきている。そこで、印刷装置として用いられる画像形成システムでは、メインとなる画像形成装置や用紙処理装置に対して、他社が開発した用紙処理装置（以下、「サードベンダー用紙処理装置」）を組み込める事が望ましい。
【０００７】
なお、このような課題に対応する手法としては、以下の特許文献１−２に各種の提案がなされている。
【先行技術文献】
【特許文献】
【０００８】
【特許文献１】特開2006-350961号公報
【特許文献２】特開2009-271761号公報
【発明の概要】
【発明が解決しようとする課題】
【０００９】
以上の特許文献１では、その用紙処理装置が必要とする最小限の情報を、従来から広く一般的に用いられているパラレル通信で情報を伝達することで対処している。なお、このパラレル通信は、プリンタの分野では一般的に広く用いられていてデファクトスタンダードとなっている反面、単純であるがゆえに、動作させるための最低限の情報しか伝達することができない問題がある。
【００１０】
また、以上の特許文献２では、画像形成装置に物理的に直列接続されたインラインフィニッシャ（画像形成装置に直列接続された用紙処理装置）と、画像形成装置に物理的に接続されずに近接配置されたニアラインフィニッシャ（画像形成装置に近接配置された用紙処理装置）とを適応的に使用できるようにするため、どちらのフィニッシャを使用するかに応じて、印刷ジョブを分割したり変換したりする技術が提案されている。
【００１１】
ところで、画像形成装置に対してサードベンダー用紙処理装置を接続する場合には、画像形成装置と同一メーカーの用紙処理装置（以下、この欄の説明においては純正用紙処理装置と呼ぶ）を接続し、その後にサードベンダー用紙処理装置を接続することが多く行われる。以下、その理由について４点を述べる。
【００１２】
理由１：サードベンダー用紙処理装置では処理可能な用紙処理の内容が限定されることが多い。例えば、あるサードベンダー用紙処理装置では、中綴じ冊子排出のみであり、中綴じ冊子排出を行わないストレート排紙を行えない。また、サードベンダー用紙処理装置では最終段に接続されるように構成されたものが多い。よって、画像形成装置とサードベンダー用紙処理装置との間に、サブトレイ排出の機能を有する純正用紙処理装置を接続する必要がある。
【００１３】
理由２：サードベンダー用紙処理装置への入力搬送速度が固定であることが多い。この場合には、その前段で速度調整が必要になる。このため、画像形成装置とサードベンダー用紙処理装置との間に、速度調整可能な、例えば、リレーユニット等の機能を有する純正用紙処理装置を接続する必要がある。
【００１４】
理由３：サードベンダー用紙処理装置の入力位置の高さは画像形成装置の排出位置の高さと一致しないことが多い。このため、画像形成装置とサードベンダー用紙処理装置との間に、入出力位置の高さを調整可能な純正用紙処理装置を接続する必要がある。
【００１５】
理由４：画像形成装置の直後にはサードベンダーであるか純正であるかを問わず、用紙処理装置を１台しか接続できない。このため、画像形成装置にサードベンダー用紙処理装置用のインタフェース（例えば、パラレルインタフェース）を設けたとしても、大多数の使用方法、すなわち、純正用紙処理装置をシリアルインタフェースで接続する場合には、使わないパラレルインタフェースが無駄になってしまう。
【００１６】
以上のような４つの理由のため、画像形成装置とサードベンダー用紙処理装置の間に、例えば、搬送速度の調整のための純正用紙処理装置と、サブトレイ排出確保のための純正用紙処理装置とを接続することが必要になる。
【００１７】
このような場合には、画像形成装置と純正用紙処理装置との間はシリアル通信により情報を伝達するように接続し、複数の純正用紙処理装置が存在する場合に純正用紙処理装置と純正用紙処理装置との間はシリアル通信により情報を伝達するように接続し、純正用紙処理装置とサードベンダー用紙処理装置との間はパラレル通信により情報を伝達するように接続する。
【００１８】
このような接続により通信する場合には、以下の問題が生じる。
問題１：用紙処理に関する詳細情報、例えば用紙長などについては、シリアル通信であれば情報の割り当てが可能であり伝達可能であるが、パラレル通信では情報を割り当てることが出来ず伝達することができない。よって、予め、動作前にモード設定の作業が必要になる。
【００１９】
問題２：装置動作状態に関する詳細情報、例えばジャム発生時のジャム位置やジャム内容などについては、シリアル通信であれば伝達可能であるが、パラレル通信では伝達することができない。よって、サードベンダー用紙処理装置で何らかの異常が発生したことは画像形成装置に伝わるが、その詳細内容については、サードベンダー用紙処理装置の操作パネルをオペレータが見ないと分からない。
【００２０】
問題３：サードベンダー用紙処理装置の面付け情報や禁則情報をパラレル通信で画像形成装置に送ることができないため、動作前に、サードベンダー用紙処理装置に基づいたモード設定を画像形成装置側で行う必要になる。
【００２１】
問題４：サードベンダー用紙処理装置はインラインフィニッシャとしてだけでなく、ニアラインフィニッシャとしても使用可能に構成されたものが多い。しかし、サードベンダー用紙処理装置がインラインフィニッシャとして接続されている状態の画像形成装置の電源がオフされると、サードベンダー用紙処理装置の電源も同時に切れてしまうため、ニアラインフィニッシャとして単独で使用することが出来なくなる。
【００２２】
すなわち、画像形成装置に対してサードベンダー用紙処理装置を接続した場合には、使い勝手が悪化するという問題が存在していた。
なお、以上の具体例では、サードベンダー用紙処理装置以外の画像形成装置や純正用紙処理装置がシリアル通信により情報を伝達するもので、サードベンダー用紙処理装置がパラレル通信により情報を伝達するとしたが、これに限定されるものではない。例えば、画像形成装置や純正用紙処理装置が高速なシリアル通信により情報を伝達するもので、サードベンダー用紙処理装置が汎用性を重視して低速かつ最低限のデータを扱うシリアル通信により情報を伝達する場合にも、上述した場合と同様な問題が発生しうる。
【００２３】
なお、以上の説明において、伝達できないとは、通信プロトコルの違いにより伝達不可である場合だけではなく、扱う情報が限定されて割り当てられたコマンドやデータが少ない場合、扱う精度や数値桁数が異なる場合、通信速度が低速になることで用紙処理に対応した適切なタイミングでの通信が行えない場合など、も含むものとする。
【００２４】
また、以上の具体例では、サードベンダー用紙処理装置を具体例に説明したが、同じメーカーの製造による装置であっても、通信機能を含めた各種機能が拡張された高性能機種と通信機能を含めた各種機能が限定された低性能機種とを接続する場合にも、同様の問題が発生する可能性がある。
【００２５】
すなわち、上流装置としての画像形成装置に対して、通信により情報伝達が制限される異種装置（サードベンダー用紙処理装置や同一メーカーであるが異なる種類の用紙処理装置）を下流装置として接続する際に、各種の不具合が発生することになる。
【００２６】
本発明はこのような課題に鑑みてなされたものであって、異種装置を下流装置として接続した画像形成システムにおいて制限を生じさせずに動作状態を改善すること可能な画像形成システム及び画像形成システム通信制御方法を提供することを目的とする。
【００２７】
また、本発明はこのような課題に鑑みてなされたものであって、異種装置を下流装置として接続した画像形成システムにおいて動作上の制限を生じさせずに、上流装置と独立して下流装置のみの動作が可能な画像形成システム及び画像形成システム通信制御方法を提供することを目的とする。
【課題を解決するための手段】
【００２８】
すなわち、前記した課題を解決する本発明は、以下の通りである。
（１）以上の課題を解決する本発明の一態様である画像形成システムは、用紙に対して画像を形成する上流装置と、前記上流装置により画像が形成された前記用紙に対して用紙処理を施す下流装置と、前記上流装置と前記下流装置との間で通信相手先が定められた状態で通信を行う専用通信経路と、前記上流装置と前記下流装置との間で通信相手先が選択可能な状態で通信を行う汎用通信経路と、を有し、前記専用通信経路と前記汎用通信経路とのそれぞれで扱える情報を分担して伝達する、ことを特徴とする。
【００２９】
（２）以上の（１）において、前記専用通信経路は、前記上流装置と前記下流装置の動作に必要な情報のみの伝達を行い、前記汎用通信経路は、前記上流装置と前記下流装置の動作に必要な情報の伝達を行うほかに、前記上流装置と前記下流装置以外の機器が接続された場合には該機器との情報伝達が可能に構成されている、ことを特徴とする。
【００３０】
（３）以上の（１）−（２）において、前記上流装置は、用紙に対して画像を形成する画像形成装置と、前記画像形成装置により画像が形成された前記用紙に対して用紙処理を施すと共に前記下流装置の前段に接続される用紙処理装置とを含んで構成され、前記専用通信経路は、前記画像形成装置と前記用紙処理装置との間で通信を行う第１専用通信経路と、前記用紙処理装置と前記下流装置との間で通信を行う第２専用通信経路とを含んで構成され、前記汎用通信経路は、前記画像形成装置と前記下流装置との間で通信を行うよう構成される、ことを特徴とする。
【００３１】
（４）以上の（３）において、前記第１専用通信経路で伝達される情報は、前記第２専用通信経路で伝達される情報が少なくとも含まれており、前記汎用通信経路で伝達される情報は、前記第１専用通信経路で伝達される情報が含まれると共に他の情報が含まれる、ことを特徴とする。
【００３２】
（５）以上の（３）−（４）において、前記第１専用通信経路はシリアル通信により情報を伝達するよう構成され、前記第２専用通信経路はパラレル通信により情報を伝達するよう構成される、ことを特徴とする。
【００３３】
（６）以上の（３）−（５）において、前記第２専用通信経路を介して前記下流装置と接続される前記用紙処理装置は、前記画像形成装置からの前記第１専用通信経路を介した情報を前記第２専用通信経路を介した情報に変換して前記下流装置に伝達し、前記下流装置からの前記第２専用通信経路を介した情報を前記第１専用通信経路を介した情報に変換して前記画像形成装置に伝達する機能を有する、ことを特徴とする。
【００３４】
（７）以上の（３）−（６）において、前記上流装置は、前記画像形成装置の後段に複数の直列に接続される前記用紙処理装置を備えて構成され、複数の前記用紙処理装置同士は前記第１専用通信経路を介して接続され、最後段の前記用紙処理装置と前記下流装置との間は前記第２専用通信経路で接続される、ことを特徴とする。
【００３５】
（８）以上の（３）において、前記上流装置は、前記画像形成装置の後段に直列に接続された複数の前記用紙処理装置を備えて構成され、前記汎用通信経路を介して前記下流装置から前記画像形成装置に用紙処理情報が伝達された場合に、前記画像形成装置は、前記汎用通信経路を介して前記下流装置に対して第１処理情報を伝達し、前記第１専用通信経路を介して前記用紙処理装置に対して前記第１処理情報を含む第２処理情報を伝達し、複数の最後尾の前記用紙処理装置は、前記第２専用通信経路を介して前記下流装置に対して第２処理情報の一部である第３処理情報を伝達する、ことを特徴とする。
【００３６】
（９）以上の（８）において、前記第１処理情報は、ページ面付け及び禁則に関する情報であり、前記第２処理情報は、用紙長、搬送速度、坪量、排出タイミング、及び用紙処理タイミングに関する情報であり、前記第３処理情報は、排出及び用紙処理に関する情報である、ことを特徴とする。
【００３７】
（１０）以上の（３）において、前記下流装置で異常が発生した場合に、前記下流装置は、前記下流装置の異常発生を示す第１異常情報を生成して前記第２専用通信経路を介して前記用紙処理装置に伝達し、前記用紙処理装置は、前記下流装置状態と前記第１異常情報とから第２異常情報を生成して前記第１専用通信経路を介して前記画像形成装置に伝達し、前記下流装置は、該下流装置の異常状態に基づく第３異常情報を生成して前記汎用通信経路を介して前記画像形成装置に伝達する、ことを特徴とする。
【００３８】
（１１）以上の（１０）において、前記第１異常情報は、異常発生有無を示す情報であり、前記第２異常情報は、前記第１異常情報と前記装置状態とから生成される情報であり、前記第３異常情報は、異常発生と異常内容とを含む情報である、ことを特徴とする。
【００３９】
（１２）以上の（３）において、前記上流装置は、前記汎用通信経路を介して接続された外部機器から動作停止の指示を含む停止指示情報を伝達されて動作を停止し、前記下流装置は、前記汎用通信経路を介して前記外部機器から用紙処理情報を伝達されて動作を継続する、ことを特徴とする。
【発明の効果】
【００４０】
以上の本発明の一態様によると、以下のような効果が得られる。
（１）用紙に画像を形成する上流装置と、用紙に用紙処理を施す下流装置と、を有する画像形成システムにおいて、上流装置と下流装置との間で通信相手先固定状態で通信を行う専用通信経路と、上流装置と下流装置との間で通信相手先選択可能状態で通信を行う汎用通信経路と、が接続されており、専用通信経路と汎用通信経路とのそれぞれで扱える情報を分担して伝達するように制御することにより、専用通信経路により伝達が制限される情報を汎用通信経路で伝達することができるため、異種装置を下流装置として接続した画像形成システムにおいても制限を生じさせずに動作状態を改善すること可能になる。
【００４１】
（２）以上の（１）において、専用通信経路は、上流装置と下流装置の動作に必要な情報のみの伝達を行い、汎用通信経路は、上流装置と下流装置の動作に必要な情報の伝達を行うほかに、上流装置と下流装置以外の外部機器が接続された場合には該機器との情報伝達が可能に構成されているため、下流装置と外部部機器との間の通信も可能になって、異種装置を下流装置として接続した画像形成システムにおいても各種の動作が可能になる。
【００４２】
（３）以上の（１）−（２）において、上流装置は、用紙に対して画像を形成する画像形成装置と、画像形成装置により画像が形成された用紙に対して用紙処理を施すと共に下流装置の前段に接続される用紙処理装置とを含んで構成され、専用通信経路は、画像形成装置と用紙処理装置との間で通信を行う第１専用通信経路と、用紙処理装置と下流装置との間で通信を行う第２専用通信経路とを含んで構成され、汎用通信経路は、画像形成装置と下流装置との間で通信を行うよう構成されるため、専用通信経路（第１専用通信経路と第２専用通信経路）により伝達が制限される情報を汎用通信経路で伝達することができるため、異種装置を下流装置として上流装置（画像形成装置と用紙処理装置）に対して接続した画像形成システムにおいても制限を生じさせずに動作状態を改善すること可能になる。
【００４３】
（４）以上の（３）において、第１専用通信経路で伝達される情報は、第２専用通信経路で伝達される情報が少なくとも含まれており、汎用通信経路で伝達される情報は、第１専用通信経路で伝達される情報が含まれると共に他の情報が含まれることにより、第２専用通信経路において第１専用通信経路と比較して制限される情報を汎用通信経路で伝達することができるため、異種装置を下流装置として上流装置（画像形成装置と用紙処理装置）に対して接続した画像形成システムにおいても制限を生じさせずに動作状態を改善すること可能になる。
【００４４】
（５）以上の（３）−（４）において、シリアル通信を行う画像形成装置と用紙処理装置との下流にパラレル通信を行う下流装置が接続された場合でも、パラレル通信で制限される情報を汎用通信経路で伝達することができるため、異種装置を下流装置として上流装置（画像形成装置と用紙処理装置）に対して接続した画像形成システムにおいても制限を生じさせずに動作状態を改善すること可能になる。
【００４５】
（６）以上の（３）−（５）において、第２専用通信経路を介して下流装置と接続された用紙処理装置は、画像形成装置からの第１専用通信経路を介した情報を第２専用通信経路を介した情報に変換して下流装置に伝達し、下流装置からの第２専用通信経路を介した情報を第１専用通信経路を介した情報に変換して画像形成装置に伝達するため、画像形成装置と下流装置との間の最低限必要な情報の伝達は用紙処理装置を介して行われ、それ以外の別な情報の伝達は汎用通信経路を介して行われるため、異種装置を下流装置として上流装置（画像形成装置と用紙処理装置）に対して接続した画像形成システムにおいても制限を生じさせずに動作状態を改善すること可能になる。
【００４６】
（７）以上の（３）−（６）において、上流装置は、画像形成装置の後段に複数の直列に接続された用紙処理装置を備えて構成され、複数の用紙処理装置同士は第１専用通信経路を介して接続され、最後段の用紙処理装置と下流装置との間は第２専用通信経路で接続されるため、画像形成装置と用紙処理装置とは第１専用通信経路で必要な情報を伝達し、画像形成装置は下流装置とは用紙処理装置を介して第２専用通信経路で最低限必要な情報を伝達し、画像形成装置と下流装置との間は汎用通信経路を介して別な情報の伝達を行うため、異種装置を下流装置として上流装置（画像形成装置と用紙処理装置）に対して接続した画像形成システムにおいても制限を生じさせずに動作状態を改善すること可能になる。
【００４７】
（８）以上の（３）において、汎用通信経路を介して下流装置から画像形成装置に用紙処理情報が伝達された場合に、画像形成装置は、汎用通信経路を介して下流装置に対して第１処理情報を伝達し、第１専用通信経路を介して用紙処理装置に対して第１処理情報を含む第２処理情報を伝達し、複数の最後尾の用紙処理装置は、第２専用通信経路を介して下流装置に対して第２処理情報の一部である第３処理情報を伝達するため、第２専用通信経路により伝達される第３処理情報において欠落する情報を汎用通信経路で第１処理情報として伝達することができるため、異種装置を下流装置として接続した画像形成システムにおいても制限を生じさせずに動作状態を改善すること可能になる。
【００４８】
（９）以上の（８）において、第１処理情報は、ページ面付け及び禁則に関する情報であり、第２処理情報は、用紙長、搬送速度、坪量、排出タイミング、及び用紙処理タイミングに関する情報であり、第３処理情報は、排出及び用紙処理に関する情報であるため、第２専用通信経路により伝達される第３処理情報において欠落する情報（ページ面付けや禁則に関する情報など）を汎用通信経路で第１処理情報として伝達することができるため、異種装置を下流装置として接続した画像形成システムにおいても制限を生じさせずに動作状態を改善すること可能になる。
【００４９】
（１０）以上の（３）において、下流装置で異常が発生した場合に、下流装置は、下流装置の異常発生を示す第１異常情報を生成して第２専用通信経路を介して用紙処理装置に伝達し、用紙処理装置は、下流装置状態と第１異常情報とから第２異常情報を生成して第１専用通信経路を介して画像形成装置に伝達し、下流装置は、該下流装置の異常状態に基づく第３異常情報を生成して汎用通信経路を介して画像形成装置に伝達するため、第２専用通信経路により下流装置から上流側に伝達される第１異常情報において欠落する情報を汎用通信経路で第３異常情報として画像形成装置に伝達することができるため、異種装置を下流装置として接続した画像形成システムにおいても制限を生じさせずに動作状態を改善すること可能になる。
【００５０】
（１１）以上の（１０）において、第１異常情報は、異常発生有無を示す情報であり、第２異常情報は、第１異常情報と装置状態とから生成される情報であり、第３異常情報は、異常発生と異常内容とを含む情報であるため、第２専用通信経路により下流装置から上流側に伝達される第１異常情報において欠落する情報を汎用通信経路で第３異常情報として画像形成装置に伝達することができるため、異種装置を下流装置として接続した画像形成システムにおいても動作上の制限を生じさせずに異常状態と異常内容とを画像形成装置に伝達して、動作状態を改善すること可能になる。
【００５１】
（１２）以上の（３）において、上流装置は、汎用通信経路を介して接続された外部機器から動作停止の指示を含む停止指示情報を伝達されて動作を停止し、下流装置は、汎用通信経路を介して外部機器から用紙処理情報を伝達されて動作を継続するため、異種装置を下流装置として接続した画像形成システムにおいて、動作上の制限を生じさせずに、上流装置と独立して下流装置のみの動作を可能にすることができ、他の画像形成装置からのニアラインのフィニッシャとして下流装置を動作させることが可能になる。
【図面の簡単な説明】
【００５２】
【図１】本発明の実施形態の画像形成システムの構成を示すブロック図である。
【図２】本発明の実施形態の画像形成システムの構成を示す構成図である。
【図３】本発明の実施形態の画像形成システムの構成を示す構成図である。
【図４】本発明の実施形態におけるシリアル通信を説明する説明図である。
【図５】本発明の実施形態におけるパラレル通信を説明する説明図である。
【図６】本発明の実施形態におけるシリアル通信を説明する説明図である。
【図７】本発明の実施形態におけるパラレル通信を説明する説明図である。
【図８】本発明の実施形態における専用通信を説明する説明図である。
【図９】本発明の実施形態の動作状態を示すフローチャートである。
【図１０】本発明の実施形態の動作状態を示すシーケンス図である。
【図１１】本発明の実施形態の動作状態を示すフローチャートである。
【図１２】本発明の実施形態の動作状態を示すシーケンス図である。
【図１３】本発明の実施形態の動作状態を示すシーケンス図である。
【図１４】本発明の実施形態の画像形成システムの構成を示す構成図である。
【図１５】本発明の実施形態の動作状態を示すフローチャートである。
【図１６】本発明の実施形態の動作状態を示すシーケンス図である。
【図１７】本発明の実施形態の画像形成システムの構成を示すブロック図である。
【図１８】本発明の実施形態の画像形成システムの構成を示す構成図である。
【図１９】本発明の実施形態の画像形成システムの構成を示す構成図である。
【図２０】本発明の実施形態の動作状態を示すフローチャートである。
【図２１】本発明の実施形態の動作状態を示すシーケンス図である。
【発明を実施するための形態】
【００５３】
以下、図面を参照して本発明を実施するための形態（以下、実施形態）を詳細に説明する。
〔画像形成システムの構成（１）〕
図１−図３を参照して、本発明の実施形態に係る画像形成システムの構成（１）について説明する。
【００５４】
図１−図３に示すように、この画像形成システムは、上流装置としての画像形成装置１００と、上流装置としての用紙処理装置３００と、下流装置としての用紙処理装置４００と、が直列に接続された状態で画像形成システムを構成している。ここで、直列に接続されるとは、画像形成装置１００で画像形成された用紙について、用紙処理装置３００、用紙処理装置４００と順に用紙処理を実行していく状態にあることを意味する。
【００５５】
なお、ここでは、画像形成装置１００で画像形成された用紙について、用紙処理装置３００ではサブトレイ排出と大容量スタックとスルー搬送とを行うことが可能であり、用紙処理装置４００では各種用紙処理により冊子排出を行うことが可能である。
【００５６】
また、用紙処理装置３００は画像形成装置１００と同一メーカーにより製造された純正用紙処理装置である。そして、用紙処理装置４００は、画像形成装置１００とは別会社の製造によるサードベンダーの用紙処理装置、または、画像形成装置１００や用紙処理装置３００とは異なる種類の用紙処理装置である。なお、以下の説明では、サードベンダーである場合を具体例とする。
【００５７】
また、画像形成装置１００と用紙処理装置３００とは通信相手先が定められた第１専用通信経路としてシリアル通信の通信経路Ｌｉｎｅ−Ｓにより接続されており、用紙処理装置３００と用紙処理装置４００とは通信相手先が第２専用通信経路としてパラレル通信の通信経路Ｌｉｎｅ−Ｐにより接続されており、画像形成装置１００と用紙処理装置４００とは通信相手先が選択可能な状態で通信を行う汎用通信経路としてのＬＡＮ等のネットワーク１により接続されている。
【００５８】
また、汎用通信経路としてのネットワーク１には、画像形成装置１００と用紙処理装置４００との他に、コンピュータ（ＰＣ）１０等の外部機器が接続されている。
ここで、画像形成装置１００は、画像形成装置１００内の各部を制御すると共に用紙処理装置としてシステム全体を制御する制御部１０１と、ネットワーク１に接続されている他の装置と通信するための汎用通信部１０２Ｌと、通信経路Ｌｉｎｅ−Ｓを介して用紙処理装置３００と通信するための専用通信部１０２Ｓと、操作者による操作入力に応じた操作入力信号を制御部１０１に通知すると共に画像形成装置１００の状態表示とを行う操作表示部１０３と、制御プログラム及び各種設定データを記憶すると共に制御プログラムのワークエリアとして使用される記憶部１０４と、収容されている用紙を給紙する給紙部１０５と、給紙され画像形成される用紙を所定速度で搬送する搬送部１１０と、原稿をスキャンして画像データを生成する原稿読込部１２０と、画像形成する際のイメージデータや各種データを記憶する画像データ記憶部１３０と、画像形成に必要な各種画像処理を実行する画像処理部１４０と、画像形成命令とイメージデータとに基づいて画像形成（印刷）を実行する画像形成部１５０と、を備えて構成されている。
【００５９】
なお、画像形成装置１００で画像形成された用紙は、用紙搬送方向下流側（以下、後段と言う）の用紙処理装置３００に向けて搬出される。
用紙処理装置３００は、画像形成装置１００の後段に接続されており、用紙処理装置３００内の各部を制御する制御部３０１と、通信経路Ｌｉｎｅ−Ｓを介して画像形成装置１００と通信するための専用通信部３０２Ｓと、通信経路Ｌｉｎｅ−Ｐを介して用紙処理装置４００と通信するための専用通信部３０２Ｐと、制御プログラム及び各種設定データを記憶すると共に制御プログラムのワークエリアとして使用される記憶部３０４と、用紙処理された用紙束を排出させる排出経路を選択する排出経路選択部３０５と、サブトレイに用紙を排出するサブトレイ排出部３６０と、用紙を大容量スタックにより積載するスタッカ積載部３７０と、を備えて構成される。
【００６０】
用紙処理装置４００は、用紙処理装置３００の後段で用紙処理するように接続されており、用紙処理装置４００内の各部を制御する制御部４０１と、通信経路Ｌｉｎｅ−Ｐを介して用紙処理装置３００と通信するための専用通信部４０２Ｐと、ネットワーク１に接続されている他の装置と通信するための汎用通信部４０２Ｌと、操作者による操作入力に応じた操作入力信号を制御部４０１に通知すると共に用紙処理装置４００の状態表示とを行う操作表示部４０３と、制御プログラム及び各種設定データを記憶すると共に制御プログラムのワークエリアとして使用される記憶部４０４と、後処理された用紙束を排出させる排出経路を選択する排出経路選択部４０５と、用紙を所定速度で搬送する搬送部４１０と、用紙を折る折り部４２０と、用紙を整合する整合部４３０と、整合された用紙束にステープルを施す綴じ部４４０と、綴じられた用紙束の端部を断裁する断裁部４５０と、綴じられて断裁されて冊子状態になった用紙束を積載して排出する冊子積載部４６０と、を備えて構成される。
【００６１】
なお、用紙処理装置４００では処理可能な用紙処理の内容が、中綴じ冊子排出のみのように限定されている場合には、中綴じ冊子排出を行わないストレート排紙については用紙処理装置３００のサブトレイ排出で対応する。
【００６２】
また、用紙処理装置４００への入力搬送速度が固定であって画像形成装置１００の出力搬送速度と異なる場合には、用紙処理装置３００において速度調整を行う。
また、用紙処理装置４００入力位置の高さが画像形成装置１００の排出位置の高さと一致しない場合には、用紙処理装置３００において搬送の高さを行う。
【００６３】
また、画像形成装置の後段側通信方式と用紙処理装置４００の前段側通信方式とが異なる場合には、用紙処理装置３００において通信方式の変換を行う。ここでは、画像形成装置１００がシリアル通信により情報を伝達する構成であり、用紙処理装置４００がパラレル通信により情報を伝達する構成であるため、用紙処理装置３００がシリアル通信とパラレル通信との変換を行う。
【００６４】
〔通信の説明〕
ここで、本実施形態で使用される通信方式や通信規格について説明する。
本実施形態では、第１専用通信経路ではデータを直列に送受信するシリアル通信により情報の伝達を行い、、第２専用通信経路ではデータを並列に送受信するパラレル通信により情報の伝達を行う。また、汎用通信経路ではイーサネット（登録商標）等によりＴＣＰ／ＩＰプロトコルでデータをパケットで送受信して情報の伝達を行う。
【００６５】
図４は本実施形態の第１専用通信経路で使用される通信プロトコルとして、RS232CやRS422等のシリアル通信による通信の状態を示している。
ここで、図４（ａ）はシリアル通信のインタフェースの一例を示し、図４（ｂ）はシリアル通信のデータの送受信タイミングの一例を示している。この場合に信号は、TxD:送信データ,RxD:受信データ,RTS:送信要求,CTS:送信可能,のようになっている。そして、異なる複数種類の情報（後述する図６参照）を直列にデータとして送受信する。
【００６６】
また、このシリアル通信では、後述するパラレル通信よりも細かな情報を含めることができ、例えば、ジャム発生であれば、ジャム位置やジャム発生原因の情報を含めることができ、ウエイト情報（待機情報）としては、どの程度の待機時間が必要かといった情報を含めることができる（図６参照）。
【００６７】
一方、図５は本実施形態の第２専用通信経路で使用される通信プロトコルとして、セントロニクス等のパラレル通信による通信の状態を示している。ここで、図５（ａ）はパラレル通信のインタフェースの一例を示し、図５（ｂ）はパラレル通信のデータの送受信タイミングの一例を示している。この場合に信号は、C0〜C4とR0〜R4のように、並列に独立して制御内容が定められた信号（後述する図７参照）のON/OFFを送受信する。
【００６８】
なお、本実施例においては、パラレル通信の信号としては、Ｃ０−Ｃ４は用紙処理装置３００から用紙処理装置４００への通信に使用される信号であり、Ｒ０−Ｒ４は用紙処理装置４００から用紙処理装置３００への通信に使用される信号である。
【００６９】
以上の通信方式の違いにより、一般的にはシリアル通信がパラレル通信よりも高速に大容量の通信が可能になっている。また、シリアル通信がパラレル通信よりも長距離の伝送が可能である。
【００７０】
そして、図６のシリアル通信の各信号名と、それがパラレル通信に対応しているか（図６中の「パラレル対応」）を見ると、パラレル対応の欄で「○」の項目はシリアル通信に対応してパラレル通信でも情報伝達が可能、パラレル対応の欄で「△」の項目はシリアル通信に対応してパラレル通信でも一部の情報伝達が可能、パラレル対応の欄で「×」の項目はシリアル通信に対応した内容のパラレル通信は不可能、であることを示している。
【００７１】
また、以上のパラレル通信のうち、通信を送受信してから動作に反映するまでのタイミングがシビアな信号と、そうでない信号がある。例えば、Ｃ２やＲ３の排紙信号（ON/OFF）は、排紙信号は受け入れ側搬送ローラの加速タイミングの制御に使用するため、タイミングが合わないと生産性を低下させたり、制御破綻の原因となるため、時間的に非常にシビアである。よって、これら時間的にシビアな信号については、信号伝達に時間的遅延が生じる可能性があるＬＡＮ通信ではなく、信号伝達に時間的遅延が生じないパラレル通信を用いる。
【００７２】
なお、シリアル通信におけるウエイト情報は、パラレル通信では扱わないが、用紙処理装置３００が役目を代行する。
また、ＪＡＭ通知、ドア開通知、アラーム通知は、用紙処理装置４００でＪＡＭが発生した時には、パラレル通信においてＲ１の異常通知の信号がオンになって異常が発生したことは通知できるが、どのような異常が発生したかまでは分からない。
【００７３】
このように、パラレル通信では扱う情報内容が限定されているため、シリアル通信による情報の全てを伝達することができない状態である。すなわち、パラレル通信では、多くの機種で使用可能である反面、動作させるための最低限の情報しか伝達することができない。
【００７４】
図８は本実施形態の汎用通信経路としてのネットワーク１で使用されるＬＡＮ通信で扱える情報の一例を示している。なお、ＬＡＮ通信のプロトコルは、一般的な物理的な規格である「イーサネット」（登録商標）と、通信内容の取り決めを決めた「ＴＣＰ／ＩＰプロトコル」の組み合わせの通信である。この実施形態では、画像形成装置１００と用紙処理装置４００とが接続されているが、他の機器もネットワーク１に接続された場合には、画像形成装置１００や用紙処理装置４００と通信が可能になる。
【００７５】
なお、ネットワーク１としては、ハブ等を用いた多対多の通信が可能であるが、画像形成装置１００と用紙処理装置４００のみであれば、クロスケーブルを用いた１対１の通信も可能である。
【００７６】
また、図８のＬＡＮ通信の各信号名と、各信号がシリアル通信に対応しているか（図８中の「シリアル対応」）、各信号がパラレル通信に対応しているか（図８中の「シリアル対応」）を見ると、シリアル対応やパラレル対応の欄で「○」の項目はシリアル通信やパラレル通信でも情報伝達が可能、シリアル対応やパラレル対応の欄で「△」の項目はシリアル通信やパラレル通信でも一部の情報伝達が可能、シリアル対応やパラレル対応の欄で「×」の項目はシリアル通信やパラレル通信では不可能、であることを示している。
【００７７】
すなわち、第１専用通信経路でシリアル通信で伝達される情報（図６）は第２専用通信経路でパラレル通信で伝達される情報（図７）が少なくとも含まれている。また、汎用通信経路でＬＡＮ通信で伝達される情報（図８）は第１専用通信経路でシリアル通信で伝達される情報（図６）や第２専用通信経路でパラレル通信で伝達される情報（図７）が少なくとも含まれると共に他の情報が含まれる。なお、図６−図８に示される情報は一例であり、これに限定されるものではない。
【００７８】
〔画像形成システムの動作（１−１）〕
ここで、図９のフローチャートと図１０のシーケンス図を用いて、図１−図３に示される画像形成システムにおける、画像形成と用紙処理の基本動作（動作（１−１））を説明する。
【００７９】
なお、以下の動作説明においては、制御部１０１の制御（通信制御プログラムの実行）により汎用通信部１０２Ｌや専用通信部１０２Ｓを介して情報や信号の送受信がなされることを、単に、画像形成装置１００が情報や信号を送受信または伝達する、という言い方で説明する。
【００８０】
また、同様に、制御部３０１の制御による情報や信号の送受信動作を用紙処理装置３００の動作として説明し、制御部４０１の制御による情報や信号の送受信動作を用紙処理装置４００の動作として説明する。
【００８１】
まず、画像形成システムにおいて、画像形成装置１００の電源がオンされると、画像形成装置１００から通信経路Ｌｉｎｅ−Ｓを介した電源オン指示を受けた用紙処理装置３００の電源が連動してオンになり、さらに、用紙処理装置３００から通信経路Ｌｉｎｅ−Ｐを介した電源オン指示を受けた用紙処理装置４００の電源が連動してオンになる（図９中のステップＳ１０１）。
【００８２】
ここで、用紙処理装置４００は、ネットワーク１を介して用紙処理情報を画像形成装置１００に送信する（図９中のステップＳ１０２、図１０（１））。この用紙処理情報としては、折りや綴じといった用紙処理装置４００が実行可能な可能用紙処理情報や、用紙処理装置４００が冊子を作成するために画像形成装置１００に対して要求するページ順や画像の天地などの面付け情報、可能用紙サイズ情報、可能用紙坪量情報などの用紙処理情報である（図８参照）。
【００８３】
これらの用紙処理情報は図７に示したパラレル通信では送信することは出来ないので、ネットワーク１のＬＡＮ通信を使って、用紙処理装置４００から画像形成装置１００に伝達する。なお、用紙処理情報の送信は画像形成システムの立ち上げ時などのタイミングで行われ、画像形成装置１００は用紙処理装置４００からこれらの用紙処理情報を受け取って、用紙処理装置４００の操作表示部４０３で設定すべき項目や値を決定する。
【００８４】
ここで、操作者から画像形成の開始（プリント）が指示される（図９中のステップＳ１０３でＹＥＳ）。なお、操作者によるプリントの指示とは、画像形成装置１００の操作表示部１０３での操作による指示や、ＰＣ１０からのネットワーク１を介した画像形成装置１００への指示など、いずれであっても良い。
【００８５】
このプリントの指示に応じて、画像形成装置１００は、給紙情報をネットワーク１を介してＬＡＮ通信で用紙処理装置４００に送信する（図９中のステップＳ１０４、図１０（２−１））。
【００８６】
この給紙情報には後処理モード（折り、綴じなど）情報、用紙サイズ情報、ステープル位置などの調整値情報、用紙サイズ情報、紙種情報、用紙坪量情報などの各種の情報が含まれる。この給紙情報を元にして用紙処理装置４００は、前段から搬送されてくる用紙に対して行うべき用紙処理と、その用紙処理を行うために必要な制御パラメータとを決定することが出来る。
【００８７】
また、以上と同様の給紙情報を通信経路Ｌｉｎｅ−Ｓを介して画像形成装置１００から用紙処理装置３００に送信する（図９中のステップＳ１０５、図１０（２−２））。
なお、ＬＡＮ通信経由の用紙処理装置４００への給紙情報と、通信経路Ｌｉｎｅ−Ｓ経由の用紙処理装置３００への給紙情報とは、図９や図１０においてはＬＡＮ通信経由が通信経路Ｌｉｎｅ−Ｓ経由よりも先になっているが、ほぼ同時に送信することが望ましい。
【００８８】
用紙処理装置４００は、以上の給紙情報を受け取った後に用紙処理動作が可能になった時点で、用紙処理動作可能になったことを示すため、通信経路Ｌｉｎｅ−Ｐにおいてオンライン信号Ｒ０をオンにして用紙処理装置３００に送信する（図９中のステップＳ１０６、図１０（３−１））。この用紙処理装置４００からのオンライン信号は、用紙処理装置３００においてレディ情報に変換されて、通信経路Ｌｉｎｅ−Ｓを介して画像形成装置１００に送信される（図９中のステップＳ１０６、図１０（３−２））。なお、用紙処理装置３００は、以上の給紙情報を受け取った後に、用紙処理装置３００が用紙処理動作が可能になった時点で、用紙処理装置３００自信が動作可能になったことを示すため、レディ情報（Ｒｅａｄｙ）をオンにして通信経路Ｌｉｎｅ−Ｓを介して画像形成装置１００に送信する。
【００８９】
画像形成装置１００は、用紙処理装置３００からの通信経路Ｌｉｎｅ−Ｓを介したレディ情報を監視しており（図９中のステップＳ１０６）、レディ情報を受信して用紙処理装置３００が動作可能状態になったと判断できる場合には（図９中のステップＳ１０６でＹＥＳ）、画像形成装置１００は用紙処理装置３００に対して動作開始を指示する動作開始情報を、通信経路Ｌｉｎｅ−Ｓを介して送信する（図９中のステップＳ１０７、図１０（４−１））。
【００９０】
また、画像形成装置１００は、用紙処理装置３００によってレディ情報に変換されたオンライン信号を受信し、用紙処理装置４００が動作可能状態になったと判断できる場合には（図９中のステップＳ１０６でＹＥＳ）、通信経路Ｌｉｎｅ−Ｓ、用紙処理装置３００、通信経路Ｌｉｎｅ−Ｐを介して、用紙処理装置４００に対して、動作開始を指示する動作開始信号を送信する（図９中のステップＳ１０８、図１０（４−１）、（４−２））。ここでは、画像形成装置１００からの通信経路Ｌｉｎｅ−Ｓを介したシリアル通信の動作開始情報が用紙処理装置３００で通信経路Ｌｉｎｅ−Ｐを介したパラレル通信の動作開始信号Ｃ０に変換されて、用紙処理装置４００に到達する。
【００９１】
以上の動作開始情報をうけた用紙処理装置３００は、制御部３０１が各部を初期化して動作可能状態になる（図９中のステップＳ１０９）。また、以上の動作開始信号をうけた用紙処理装置４００は、制御部４０１が各部を初期化して動作可能状態になる（図９中のステップＳ１０９）。
【００９２】
そして、画像形成装置１００はプリントを開始して（図９中のステップＳ１１０）、プリントされた用紙が画像形成装置１００から排出されるタイミングで、画像形成装置１００から通信経路Ｌｉｎｅ−Ｓを介して排紙情報を用紙処理装置３００に送信する（図９中のステップＳ１１１、図１０（５−１））。更に、画像形成装置１００からの用紙が用紙処理装置３００から排出されるタイミングで、用紙処理装置３００は通信経路Ｌｉｎｅ−Ｐを介して排紙信号Ｃ２オンを用紙処理装置４００に送信する（図９中のステップＳ１１２、図１０（５−２））。
【００９３】
また、用紙処理装置４００は、用紙処理装置３００経由で画像形成装置１００からの用紙を正常に受領した場合には、上述した排紙信号Ｃ２の受信に対応して用紙受領を画像形成装置１００に通知するため、通信経路Ｌｉｎｅ−Ｐにおいて用紙受領を意味する排紙信号Ｒ３をオンにして、用紙処理装置３００経由で画像形成装置１００に送信する（図９中のステップＳ１１３、ステップＳ１１４、図１０（６−１）、（６−２））。ここでは、用紙処理装置４００からの通信経路Ｌｉｎｅ−Ｐを介したパラレル通信の排紙信号（６−１）が、用紙処理装置３００で通信経路Ｌｉｎｅ−Ｓを介したシリアル通信のページ排出情報に変換されて、画像形成装置１００に到達する（６−２）。
【００９４】
以上のページ排出情報と排紙信号とにより、用紙処理装置３００と用紙処理装置３００とで処理される用紙枚数を画像形成装置１００の制御部１０１でカウントすることができる。
【００９５】
なお、画像形成装置１００、用紙処理装置３００、用紙処理装置４００とは、以上の処理を最終ページに至るまで繰り返す（図９中のステップＳ１１５でＮＯ→Ｓ１１０）。図１０のシーケンス図では、用紙２枚のプリントを実行した場合について示しており、用紙１枚目について、排紙情報（５−１）、排紙信号（５−１）、排紙信号（６−１）、ページ排出情報（６−２）を実行し、用紙２枚目について、排紙情報（７−１）、排紙信号（７−１）、排紙信号（８−１）、ページ排出情報（８−２）を実行した例を示している。
【００９６】
そして、画像形成装置１００でプリントされた用紙が最終ページまで用紙処理装置４００に送られて冊子の作成タイミングになったら（図９中のステップＳ１１５でＹＥＳ）、用紙処理を実行するタイミングであることを示すシリアル通信のフィニッシング情報を、通信経路Ｌｉｎｅ−Ｓを介して画像形成装置１００から用紙処理装置３００に送信する（図９中のステップＳ１１６、図１０（９−１））。そして、用紙処理装置３００は、画像形成装置１００からのシリアル通信のフィニッシング情報をパラレル通信の部区切り信号Ｃ３オンに変換して通信経路Ｌｉｎｅ−Ｐを介して用紙処理装置４００に送信する（図９中のステップＳ１１７、図１０（９−２））。
【００９７】
この部区切り信号Ｃ３オンを受信した用紙処理装置４００では、指定された用紙処理（例えば、中綴じ冊子作成）をフィニッシング処理として実行する（図９中のステップＳ１１８）。なお、用紙処理装置４００は、作成した冊子等を冊子積載部４６０に積載して排出する（図２参照）。
【００９８】
そして、用紙処理装置４００は、指定された用紙処理を正しく実行して所望の成果物（例えば、中綴じ冊子）が作成できた場合に、束排出信号Ｒ４をオンにして通信経路Ｌｉｎｅ−Ｐを介して用紙処理装置３００に送信する（図９中のステップＳ１１９、図１０（１０−１））。この束排出信号Ｒ４オンを受信した用紙処理装置３００は、パラレル通信の束排出信号Ｒ４をシリアル通信の束排出情報に変換して、通信経路Ｌｉｎｅ−Ｓを介して画像形成装置１００に送信する（図９中のステップＳ１２０、図１０（１０−２））。
【００９９】
以上のように、用紙に画像を形成する上流装置としての画像形成装置１００、用紙に用紙処理を施す下流装置としての用紙処理装置４００を少なくとも有する画像形成システムにおいて、上流装置と下流装置との間で通信相手先固定状態で通信を行う専用通信経路（Ｌｉｎｅ−ＳまたはＬｉｎｅ−Ｐ）と、上流装置と下流装置との間で通信相手先選択可能状態で通信を行う汎用通信経路（ＬＡＮ通信のネットワーク１）とが接続されており、専用通信経路と汎用通信経路とのそれぞれで扱える情報を分担して伝達するように制御することにより、専用通信経路により伝達が制限される情報を汎用通信経路で伝達することができるため、異種装置としての用紙処理装置４００を下流装置として接続した場合においても制限を生じさせずに動作状態を改善すること可能になる。
【０１００】
また、給紙や排紙などのタイミングが重要な信号については、ＬＡＮ通信によるネットワーク１ではなく、専用通信経路（Ｌｉｎｅ−ＳまたはＬｉｎｅ−Ｐ）で行うことにより、リアルタイム性に優れた情報伝達が確保され、画像形成システムとしての各種タイミングに合致した確実な動作が確保される。
【０１０１】
また、画像形成装置１００は第１専用通信経路Ｌｉｎｅ−Ｓにおいてシリアル通信により情報を伝達する機能を有し、用紙処理装置４００は第２専用通信経路Ｌｉｎｅ−Ｐにおいてパラレル通信により情報を伝達する機能を有する場合であっても、上流側の用紙処理装置３００が通信方式の変換を行うため、異種装置としてサードベンダーの用紙処理装置４００を接続した場合でも画像形成システムとしての動作が確保される。
【０１０２】
また、以上のように、パラレル通信ではやり取りできない情報を、ＬＡＮ通信を使ってやり取りし、通紙のタイミングに関わる信号はパラレル通信で行うことによって、画像形成装置１００とサードベンダーの用紙処理装置４００とでそれぞれモード設定をするような操作は必要なく、操作者に対して使いやすい画像形成システムを構築することができる。
【０１０３】
なお、以上の動作において、第１専用通信経路Ｌｉｎｅ−Ｓで伝達される情報は、第２専用通信経路Ｌｉｎｅ−Ｐで伝達される情報が少なくとも含まれており、汎用通信経路としてのネットワーク１で伝達される情報は、第１専用通信経路Ｌｉｎｅ−Ｓで伝達される情報が含まれると共に他の情報が含まれることにより、第２専用通信経路において第１専用通信経路Ｌｉｎｅ−Ｓと比較して制限される情報を汎用通信経路で伝達することができるため、異種装置としての用紙処理装置４００を下流装置として上流装置（画像形成装置１００と用紙処理装置３００）に対して接続した画像形成システムにおいても、制限を生じさせずに動作状態を改善すること可能になる。
【０１０４】
また、シリアル通信を行う画像形成装置１００と用紙処理装置３００との下流に、パラレル通信を行う用紙処理装置４００が接続された場合でも、パラレル通信で制限される情報を汎用通信経路としてのネットワーク１で伝達することができるため、異種装置としての用紙処理装置４００を下流装置として上流装置（画像形成装置１００と用紙処理装置３００）に対して接続した画像形成システムにおいても制限を生じさせずに動作状態を改善すること可能になる。
【０１０５】
また、第２専用通信経路Ｌｉｎｅ−Ｐを介して用紙処理装置４００と接続された用紙処理装置３００は、画像形成装置１００からの第１専用通信経路Ｌｉｎｅ−Ｓを介した情報を第２専用通信経路Ｌｉｎｅ−Ｐを介した情報に変換して下流の用紙処理装置４００に伝達し、用紙処理装置４００からの第２専用通信経路Ｌｉｎｅ−Ｐを介した情報を第１専用通信経路Ｌｉｎｅ−Ｓを介した情報に変換して画像形成装置１００に伝達するため、画像形成装置１００と用紙処理装置４００との間の最低限必要な情報の伝達は用紙処理装置３００を介して行われ、それ以外の別な情報の伝達は汎用通信経路としてのネットワーク１を介して行われるため、異種装置を用紙処理装置４００として上流装置（画像形成装置１００と用紙処理装置３００）に対して接続した画像形成システムにおいても制限を生じさせずに動作状態を改善すること可能になる。
【０１０６】
〔画像形成システムの動作（１−２）〕
ここで、図１１のフローチャートと図１２〜図１３のシーケンス図を用いて、図１−図３に示される画像形成システム（画像形成装置１００，用紙処理装置３００，用紙処理装置４００）における、画像形成と用紙処理のエラー処理時動作（動作（１−２））を説明する。
【０１０７】
なお、以下の動作説明においては、制御部１０１の制御（通信制御プログラムの実行）により汎用通信部１０２Ｌや専用通信部１０２Ｓを介して情報や信号の送受信がなされることを、単に、画像形成装置１００が情報や信号を送受信または伝達する、という言い方で説明する。また、同様に、制御部３０１の制御による情報や信号の送受信動作を用紙処理装置３００の動作として説明し、制御部４０１の制御による情報や信号の送受信動作を用紙処理装置４００の動作として説明する。
【０１０８】
なお、図１１のフローチャートでは下流側の用紙処理装置４００においてエラーが発生した場合のエラー処理を中心に記載している。また、図１２〜図１３のシーケンス図において、図１０のシーケンス図と同一部分には同一の表記をすることで重複した説明は省略する。
【０１０９】
まず、画像形成システムの動作中のいずれかのタイミングで用紙処理装置４００において何らかのエラーが発生する（図１１中のステップＳ２０１）。
なお、このエラーとして、用紙処理装置４００における用紙詰まり（ジャム）、あるいは、用紙処理装置４００に設けられたいずれかのドアが開かれたこと（ドア開）を想定する。
【０１１０】
ここで、用紙処理装置４００は、異常発生であることを示す異常通知Ｒ１をオンにして、通信経路Ｌｉｎｅ−Ｐを介して用紙処理装置３００に送信する（図１１中のステップＳ２０２）。なお、この通信経路Ｌｉｎｅ−Ｐを介したパラレル通信の異常通知Ｒ１は、オンになることで異常が発生したことのみ通知することができ、異常箇所や異常内容の情報を含むことはできない。
【０１１１】
ここで、用紙処理装置３００では、画像形成装置１００からの動作開始命令や用紙処理装置４００からの排紙信号から、異常発生時に用紙処理装置４００が用紙処理を実行していたか否かの装置状態を判断する（図１１中のステップＳ２０３）。画像形成装置１００からの動作開始命令が送信された後であって用紙処理装置４００からの排紙信号や束排出信号が送信される前であれば、用紙処理装置４００が用紙処理を実行中であると判断することができる。
【０１１２】
なお、ここでは、用紙処理装置３００が排紙信号Ｃ２をオン（図１２（５−２））した後に、用紙処理装置４００でジャムが発生した場合を想定して詳細に説明する（図１２「ジャム」）。
【０１１３】
用紙処理装置４００において用紙処理動作中にジャムが発生すると、用紙処理装置４００は用紙処理装置３００に対して上述したように通信経路Ｌｉｎｅ−Ｐを介してパラレル通信で異常通知Ｒ１をオンにする（図１１中のステップＳ２０２、図１２（ＪＡＭ１−１））。
【０１１４】
用紙処理装置３００は、異常通知Ｒ１のオンではどのような異常が発生したか分からないが、動作中の用紙処理装置４００から排紙信号が返ってきていない間に異常通知Ｒ１が来ている（図１２参照）ことから、装置状態として用紙処理中におけるジャムが発生していると判断できる（図１１中のステップＳ２０３でＹＥＳ）。
【０１１５】
そこで、用紙処理装置３００は、通信経路Ｌｉｎｅ−Ｐからの異常通知Ｒ１（図１１中のステップＳ２０２）をジャム通知に変換して、通信経路Ｌｉｎｅ−Ｓを介して画像形成装置１００に送信する（図１１中のステップＳ２０４、図１２（ＪＡＭ１−２））。また、用紙処理装置３００に滞留している用紙（ジャム紙の後続用紙）を用紙処理装置４００に送り込まないように、サブトレイ排出部３６０においてサブトレイに排出する（図１１中のステップＳ２０５）。そして、用紙処理装置３００はサブトレイ排出が可能な後続用紙の排出が完了した時点で（図１１中のステップＳ２０６でＹＥＳ）、動作を停止する（図１１中のステップＳ２０８）。
【０１１６】
なお、用紙処理装置３００から画像形成装置１００に送信されたジャム通知は異常通知Ｒ１から推定して作成された情報であるため、どのような種類のジャムが何処で発生し、残留紙がどこに存在しているかについて、画像形成システム全体を制御する画像形成装置１００が把握することができない。
【０１１７】
しかしながら、操作者がジャムリカバリー処理として残留紙を取り除くにはジャムについての詳細な情報が必要になる。そこで、用紙処理装置４００は、ネットワーク１を介してＬＡＮ通信で、ジャム種類、ジャム位置、残留紙位置などのジャム詳細情報を画像形成装置１００に送信する（図１１中のステップＳ２０９、図１２（ＪＡＭ２−１））。
【０１１８】
このジャム詳細情報をネットワーク１を介して受信した画像形成装置１００は、ジャムリカバリー処理として、ジャム紙や残留紙の取り除き方を操作表示部１０３に表示する（図１１中のステップＳ２１０）。
【０１１９】
次に、用紙処理装置４００が中綴じ冊子を排出して束排出信号Ｒ４をオン（図１３（１０−１））して用紙処理装置３００に送信し、この束排出信号を受信した用紙処理装置３００は束排出情報として画像形成装置１００に送信した後に、用紙処理装置４００でドア開が発生した場合を想定して、図１３のシーケンス図を参照して本実施形態の動作を詳細に説明する（図１３「ドア開」）。
【０１２０】
用紙処理装置４００からの束排出信号Ｒ４が用紙処理装置３００で束排出情報に変換されて画像形成装置１００に送信された後、用紙処理装置４００でいずれかのドア開が発生すると（図１３「ドア開」）、用紙処理装置４００は用紙処理装置３００に対して上述したように通信経路Ｌｉｎｅ−Ｐを介してパラレル通信で異常通知Ｒ１をオンにする（図１１中のステップＳ２０２、（ＤｒＥｒｒ１−１））。
【０１２１】
用紙処理装置３００は、異常通知Ｒ１のオンではどのような異常が発生したか分からないが、動作中の用紙処理装置４００から束排出信号Ｒ４が返ってきた後に異常通知Ｒ１が来ている（図１３参照）ことから、装置状態として用紙処理装置４００において用紙は存在していないため、ドア開が発生していると判断できる（図１１中のステップＳ２０３でＮＯ）。
【０１２２】
そこで、用紙処理装置３００は、通信経路Ｌｉｎｅ−Ｐからの異常通知Ｒ１（図１１中のステップＳ２０２）をドア開通知に変換して、通信経路Ｌｉｎｅ−Ｓを介して画像形成装置１００に送信する（図１１中のステップＳ２０７、図１３（ＤｒＥｒｒ１−２））。そして、用紙処理装置３００自身も動作を停止する（図１１中のステップＳ２０８）。
【０１２３】
なお、用紙処理装置３００から画像形成装置１００に送信されたドア開通知は異常通知Ｒ１から推定して作成された情報であるため、どのドアについてドア開が発生しているかについて、画像形成システム全体を制御する画像形成装置１００が把握することができない。
【０１２４】
しかしながら、操作者がドア閉処理として開いたドアを閉じるにはドア開についての詳細な情報が必要になる。そこで、用紙処理装置４００は、ネットワーク１を介してＬＡＮ通信で、ドア開位置、残留紙位置などのジャム詳細情報を画像形成装置１００に送信する（図１１中のステップＳ２０９、図１３（ＤｒＥｒｒ２−１））。
【０１２５】
このドア開詳細情報をネットワーク１を介して受信した画像形成装置１００は、ドア開リカバリー処理（ドア閉処理）として、開いているドアの閉じ方を操作表示部１０３に表示する（図１１中のステップＳ２１０）。
【０１２６】
以上のように、用紙処理装置４００で異常が発生した場合に、用紙処理装置４００は、用紙処理装置４００の異常発生を示す第１異常情報（異常通知Ｒ１）を生成して通信経路Ｌｉｎｅ−Ｐを介して用紙処理装置３００に伝達し、用紙処理装置３００は、用紙処理装置４００状態情報（各種信号の状態）と第１異常情報とから第２異常情報（ジャム通知やドア開通知）を生成して通信経路Ｌｉｎｅ−Ｓを介して画像形成装置１００に伝達し、用紙処理装置４００は、該用紙処理装置４００の異常状態に基づく第３異常情報（ジャム詳細情報やドア開詳細情報）を生成してネットワーク１を介して画像形成装置１００に伝達するため、通信経路Ｌｉｎｅ−Ｐにより用紙処理装置４００から上流側に伝達される第１異常情報において欠落する情報をネットワーク１で第３異常情報として画像形成装置１００に伝達することができるため、異種装置を用紙処理装置４００として接続した画像形成システムにおいても制限を生じさせずに動作状態を改善すること可能になる。
【０１２７】
なお、第１異常情報は異常発生有無を示す情報であり、第２異常情報は第１異常情報と装置状態とから生成される情報であり、第３異常情報は異常発生と異常内容とを含む情報であるため、第２専用通信経路Ｌｉｎｅ−Ｐにより用紙処理装置４００から上流側に伝達される第１異常情報において欠落する情報を汎用通信経路としてのネットワーク１で第３異常情報として画像形成装置１００に伝達することができるため、異種装置を用紙処理装置４００として接続した画像形成システムにおいても動作上の制限を生じさせずに異常状態と異常内容とを画像形成装置１００に伝達して、動作状態を改善すること可能になる。
【０１２８】
すなわち、異種装置を用紙処理装置４００として接続した画像形成システムにおいても動作上の制限を生じさせずに、異常状態と異常内容とを画像形成装置１００に伝達して、ジャムやドア開をリカバリー処理して、動作状態を改善すること可能になる。
【０１２９】
〔画像形成システムの構成（２）〕
図１４−図１６を参照して、本発明の実施形態に係る画像形成システムの構成（２）について説明する。
【０１３０】
図１４に示すように、この画像形成システムは、上流装置としての第１画像形成装置１００Ａと、上流装置としての用紙処理装置３００と、下流装置としてのサードベンダーの用紙処理装置４００と、が直列に接続されており、用紙が搬送される（図１４「用紙搬送」）ようにインライン画像形成システムを構成している。
【０１３１】
ここで、インライン画像形成システムは、第１画像形成装置１００Ａで画像形成された用紙について、用紙処理装置３００、用紙処理装置４００と順に用紙処理を実行していくものであり、構成（１）として既に説明したものと同一であるため重複した説明を省略する。
【０１３２】
また、汎用通信経路としてのネットワーク１には、第１画像形成装置１００Ａと用紙処理装置４００との他に、コンピュータ（ＰＣ）等の外部機器と第２画像形成装置１００Ｂとが接続されている。
【０１３３】
なお、第２画像形成装置１００Ｂは、用紙の搬送経路としてはインライン画像形成システムに対して機械的に接続されていないものの、ネットワーク１を介して第１画像形成装置１００Ａや用紙処理装置４００と通信可能に接続された状態で、インライン画像形成システムの近傍に配置されている。このため、第２画像形成装置１００Ｂでプリントされた用紙を用紙処理装置４００の給紙口に手動搬送することで（図１４「手動用紙搬送」）、ニアライン処理と呼ばれる用紙処理装置４００による用紙処理が可能である。
【０１３４】
〔画像形成システムの動作（２）〕
ここで、図１５のフローチャートと図１６のシーケンス図を用いて、図１４−図１６に示される画像形成システム（第１画像形成装置１００Ａ，第２画像形成装置１００Ｂ，用紙処理装置３００，サードベンダーの用紙処理装置４００）における、省電力モードにおけるニアライン処理時動作（動作（２））を説明する。
【０１３５】
なお、省電力モードにおけるニアライン処理としては、インライン画像形成システム内で第１画像形成装置１００Ａと用紙処理装置３００とは省電力モードにしつつ、用紙処理装置４００を動作状態に保つことを意味している。
【０１３６】
なお、以下の動作説明においては、各装置内の制御部の制御（通信制御プログラムの実行）により通信部を介して情報や信号の送受信がなされることを、単に、各装置が情報や信号を送受信または伝達する、という言い方で説明する。
【０１３７】
ここでは、用紙処理装置４００において用紙処理することで作成した冊子に関して、第１画像形成装置１００Ａではプリントできない用紙又は印刷モードについて、第２画像形成装置１００Ｂではプリントが可能である場合を想定する。この場合、操作者はＰＣ１０を操作して、第２画像形成装置１００Ｂに対してプリント指示を与える（図１５中のステップＳ３０１、図１６（１１））。そして、第２画像形成装置１００Ｂは指示されたプリントを実行して、第２画像形成装置１００Ｂの排紙部（図示せず）に用紙束を出力した時点で、プリント完了通知をネットワーク１を介してＰＣ１０に送信する（図１５中のステップＳ３０２でＹＥＳ、図１６（１２））。
【０１３８】
次に、ＰＣ１０は、用紙処理装置４００でニアライン処理による用紙処理に備えて、動作不要である第１画像形成装置１００Ａに対して、動作停止の指示（例えば、省電力モードであるスリープモードへ動作モードを移行させるためのスリープ移行指示）を与える（図１５中のステップＳ３０３、図１６（１３−１））。なお、このニアライン処理に備えたスリープ移行指示としては、第１画像形成装置１００Ａと用紙処理装置３００とをスリープモードへ移行させる指示である。
【０１３９】
このスリープ移行指示をネットワーク１を介して受信した第１画像形成装置１００Ａは、通信経路Ｌｉｎｅ−Ｓを介して用紙処理装置３００に対してスリープ移行指示を与える（図１６（１３−２））。
【０１４０】
ここで、用紙処理装置３００は、第１画像形成装置１００Ａがスリープモードであることを示す本体ステータス信号Ｃ４オフを、通信経路Ｌｉｎｅ−Ｐを介して用紙処理装置４００に送信する（図１５中のステップＳ３０４でＹＥＳ、図１６（１３−３））。
【０１４１】
用紙処理装置３００はスリープ移行が完了すると（図１５中のステップＳ３０４でＹＥＳ）、スリープ移行完了通知を通信経路Ｌｉｎｅ−Ｓを介して第１画像形成装置１００Ａに送信する（図１６（１４−１））。また、第１画像形成装置１００Ａはスリープ移行が完了すると（図１５中のステップＳ３０４でＹＥＳ）、スリープ移行完了通知をネットワーク１を介してＰＣ１０に送信する（図１６（１４−２））。
【０１４２】
その後、ＰＣ１０は、用紙処理装置４００に対して、ネットワーク１を介してニアライン用紙処理情報を送信する（図１５中のステップＳ３０５、図１６（１５））。なお、このニアライン用紙処理情報の中には、用紙のサイズや用紙処理モードの情報が含まれている。
【０１４３】
このため、操作者は、第２画像形成装置１００Ｂと用紙処理装置４００を用いてニアライン用紙処理を実行する際に、用紙処理装置４００の操作表示部によって用紙処理モードを設定する必要がなくなる。すなわち、操作者は、第２画像形成装置１００Ｂでプリント出力された用紙束を用紙処理装置４００の給紙口に運び、用紙処理スタートを指示するだけで良い。なお、用紙処理装置４００のスタート指示としては、用紙を運んだ際に操作表示部を操作しても良いし、ＰＣ１０から用紙処理装置４００の用紙処理スタートを指示しても良い。
【０１４４】
以上のようにすることで、画像形成システムにおいて使用する必要がない第１画像形成装置１００Ａと用紙処理装置３００とをスリープモードにして省電力に寄与しつつ、画像形成システムに接続されていない第２画像形成装置１００Ｂと画像形成システム内の用紙処理装置４００とを用いたニアライン用紙処理を、効率的に行うことが可能になる。
【０１４５】
また、ニアライン用紙処理モード等の情報は、ネットワーク１のＬＡＮ通信で用紙処理装置４００に送信して動作させることができるため、使い勝手が向上する。また、このニアライン用紙処理により、画像形成システムとして接続されているサードベンダーの用紙処理装置４００の稼働効率を上げることが可能になる。
【０１４６】
すなわち、上流装置（画像形成装置１００と用紙処理装置３００）は、汎用通信経路としてのネットワーク１を介して接続されたＰＣ１０から動作停止の指示を含む停止指示情報を伝達されて動作を停止し、用紙処理装置４００は、汎用通信経路としてのネットワーク１を介してＰＣ１０から用紙処理情報を伝達されて動作を継続するため、異種装置を用紙処理装置４００として接続した画像形成システムにおいて、動作上の制限を生じさせずに、上流装置（画像形成装置１００と用紙処理装置３００）と独立して用紙処理装置４００のみの動作を可能にすることができ、他の画像形成装置１００からのニアラインのフィニッシャとして用紙処理装置４００を動作させることが可能になる。
【０１４７】
また、以上の画像形成システムにおいて、専用通信経路（Ｌｉｎｅ−ＳまたはＬｉｎｅ−Ｐ）は、上流装置（画像形成装置１００、用紙処理装置３００）と下流装置（用紙処理装置４００）の動作に必要な情報のみの伝達を行い、汎用通信経路（ネットワーク１）は、上流装置と下流装置の動作に必要な情報の伝達を行うほかに、上流装置と下流装置以外のＰＣ１０等の外部機器が接続された場合には該外部機器との情報伝達が可能に構成されているため、下流装置と外部部機器との間の通信も可能になって、異種装置を下流装置として接続した画像形成システムにおいても各種の動作が可能になる。
【０１４８】
〔画像形成システムの構成（３）〕
図１７−図１９を参照して、本発明の実施形態に係る画像形成システムの構成（３）について説明する。
【０１４９】
図１７−図１９に示すように、この画像形成システムは、上流装置としての画像形成装置１００と、下流装置としての用紙処理装置４００と、が直列に接続された状態で画像形成システムを構成している。ここで、画像形成システムは、画像形成装置１００で画像形成された用紙について、用紙処理装置４００では各種用紙処理により冊子排出を行うことが可能である。
【０１５０】
なお、図１−図３に示した画像形成システムと同一物には同一番号を付すことで、重複した説明を省略するが、異なる箇所としては、画像形成システムにおいて用紙処理装置３００が除かれた状態になっている。ここで、用紙処理装置４００は画像形成装置１００とは別会社の製造によるサードベンダー用紙処理装置である。この場合、画像形成装置１００の出力搬送速度と用紙処理装置４００の入力搬送速度とが同一であって速度調整が不要であり、画像形成装置１００の排出位置の高さと用紙処理装置４００入力位置の高さが一致して調整が不要な場合には、用紙処理装置３００を用いずに、画像形成装置１００と用紙処理装置４００とを接続することが可能になる。
【０１５１】
また、画像形成装置１００と用紙処理装置４００とは通信相手先パラレル通信の通信経路Ｌｉｎｅ−Ｐにより接続されており、画像形成装置１００と用紙処理装置４００とは通信相手先が選択可能な状態で通信を行う汎用通信経路としてのＬＡＮ等のネットワーク１により接続されている。
【０１５２】
なお、汎用通信経路としてのネットワーク１には、画像形成装置１００と用紙処理装置４００との他に、コンピュータ（ＰＣ）１０等の外部機器が接続されている。
〔画像形成システムの動作（３）〕
ここで、図２０のフローチャートと図２１のシーケンス図を用いて、図１７−図１９に示される画像形成システムにおける、画像形成と用紙処理の基本動作（動作（３））を説明する。
【０１５３】
なお、以下の動作説明においては、制御部１０１の制御（通信制御プログラムの実行）により汎用通信部１０２Ｌや専用通信部１０２Ｓを介して情報や信号の送受信がなされることを、単に、画像形成装置１００が情報や信号を送受信または伝達する、という言い方で説明する。また、同様に、制御部４０１の制御による情報や信号の送受信動作を用紙処理装置４００の動作として説明する。
【０１５４】
まず、画像形成システムにおいて、画像形成装置１００の電源がオンされると、画像形成装置１００から通信経路Ｌｉｎｅ−Ｐを介した電源オン指示を受けた用紙処理装置４００の電源が連動してオンになる（図２０中のステップＳ４０１）。
【０１５５】
ここで、用紙処理装置４００は、ネットワーク１を介して用紙処理情報を画像形成装置１００に送信する（図２０中のステップＳ４０２、図２１（１））。この用紙処理情報としては、折りや綴じといった用紙処理装置４００が実行可能な可能用紙処理情報や、用紙処理装置４００が冊子を作成するために画像形成装置１００に対して要求するページ順や画像の天地などの面付け情報、可能用紙サイズ情報、可能用紙坪量情報などの用紙処理情報である（図８参照）。
【０１５６】
これらの用紙処理情報は通信経路Ｌｉｎｅ−Ｐを介したパラレル通信では送信することは出来ないので、ネットワーク１のＬＡＮ通信を使って、用紙処理装置４００から画像形成装置１００に伝達する。なお、用紙処理情報の送信は画像形成システムの立ち上げ時などのタイミングで行われ、画像形成装置１００は用紙処理装置４００からこれらの用紙処理情報を受け取って、用紙処理装置４００の操作表示部４０３で設定すべき項目や値を決定する。
【０１５７】
操作者から、画像形成装置１００の操作表示部１０３での操作による指示や、ＰＣ１０からのネットワーク１を介した画像形成装置１００への指示などにより、画像形成の開始（プリント）が指示される（図２０中のステップＳ４０３でＹＥＳ）。このプリントの指示に応じて、画像形成装置１００は、給紙情報をネットワーク１を介してＬＡＮ通信で用紙処理装置４００に送信する（図２０中のステップＳ４０４、図２１（２））。
【０１５８】
この給紙情報には後処理モード（折り、綴じなど）情報、用紙サイズ情報、ステープル位置などの調整値情報、用紙サイズ情報、紙種情報、用紙坪量情報などの各種の情報が含まれる。この給紙情報を元にして用紙処理装置４００は、画像形成装置１００から搬送されてくる用紙に対して行うべき用紙処理と、その用紙処理を行うために必要な制御パラメータとを決定することが出来る。
【０１５９】
用紙処理装置４００は、以上の給紙情報を受け取った後に用紙処理動作が可能になった時点で、用紙処理動作可能になったことを示すため、通信経路Ｌｉｎｅ−Ｐにおいてオンライン信号Ｒ０をオンにして画像形成装置１００に送信する（図２０中のステップＳ４０５、図２１（３））。
【０１６０】
画像形成装置１００は、通信経路Ｌｉｎｅ−Ｐを介した用紙処理装置４００からのオンライン信号を監視しており（図２０中のステップＳ４０６）、オンライン信号を受信して用紙処理装置４００が動作可能状態になったと判断できる場合には（図２０中のステップＳ４０５でＹＥＳ）、通信経路Ｌｉｎｅ−Ｐを介して、用紙処理装置４００に対して、動作開始を指示する動作開始信号を送信する（図２０中のステップＳ４０６、図２１（４））。
【０１６１】
以上の動作開始信号をうけた用紙処理装置４００は、制御部４０１が各部を初期化して動作可能状態になる（図２０中のステップＳ４０７）。
そして、画像形成装置１００はプリントを開始して（図２０中のステップＳ４０８）、プリントされた用紙が画像形成装置１００から排出されるタイミングで、画像形成装置１００から通信経路Ｌｉｎｅ−Ｐを介して排紙信号Ｃ２オンを用紙処理装置４００に送信する（図２０中のステップＳ４０９、図２１（５））。
【０１６２】
また、用紙処理装置４００は、画像形成装置１００からの用紙を正常に受領した場合には、上述した排紙信号Ｃ２の受信に対応して、用紙受領を画像形成装置１００に通知するため、通信経路Ｌｉｎｅ−Ｐにおいて用紙受領を意味する排紙信号Ｒ３をオンにして画像形成装置１００に送信する（図２０中のステップＳ４１０、図２１（６））。以上の排紙信号により、用紙処理装置４００とで処理される用紙枚数を画像形成装置１００側で制御部１０１がカウントすることができる。
【０１６３】
なお、画像形成装置１００と用紙処理装置４００とは、以上の処理を最終ページに至るまで繰り返す（図２０中のステップＳ４１１でＮＯ→Ｓ４０８）。図２１のシーケンス図では、用紙２枚のプリントを実行した場合について示しており、用紙１枚目について、排紙信号（５）と排紙信号（６）を実行し、用紙２枚目について排紙信号（７）と排紙信号（８）を実行した例を示している。
【０１６４】
そして、画像形成装置１００でプリントされた用紙が最終ページまで用紙処理装置４００に送られて冊子の作成タイミングになったら（図２０中のステップＳ４１１でＹＥＳ）、用紙処理を実行するタイミングであることを示す部区切り信号Ｃ３オンを通信経路Ｌｉｎｅ−Ｐを介して用紙処理装置４００に送信する（図２０中のステップＳ４１２、図２１（９））。
【０１６５】
この部区切り信号Ｃ３オンを受信した用紙処理装置４００では、指定された用紙処理（例えば、中綴じ冊子作成）をフィニッシング処理として実行する（図２０中のステップＳ４１３）。なお、用紙処理装置４００は、作成した冊子等を冊子積載部４６０に積載して排出する（図２参照）。
【０１６６】
そして、用紙処理装置４００は、指定された用紙処理を正しく実行して所望の成果物（例えば、中綴じ冊子）が作成できた場合に、束排出信号Ｒ４をオンにして通信経路Ｌｉｎｅ−Ｐを介して画像形成装置１００に送信する（図２０中のステップＳ４１４、図２１（１０））。
【０１６７】
以上のように、用紙に画像を形成する上流装置としての画像形成装置１００、用紙に用紙処理を施す下流装置としての用紙処理装置４００を少なくとも有する画像形成システムにおいて、上流装置と下流装置との間で通信相手先固定状態で通信を行う専用通信経路（Ｌｉｎｅ−Ｐ）と、上流装置と下流装置との間で通信相手先選択可能状態で通信を行う汎用通信経路（ＬＡＮ通信のネットワーク１）とが接続されており、専用通信経路と汎用通信経路とのそれぞれで扱える情報を分担して伝達するように制御することにより、専用通信経路により伝達が制限される情報を汎用通信経路で伝達することができるため、異種装置としての用紙処理装置４００を下流装置として接続した場合においても制限を生じさせずに動作状態を改善すること可能になる。
【０１６８】
また、給紙や排紙などのタイミングが重要な信号については、ＬＡＮ通信によるネットワーク１ではなく、専用通信経路（Ｌｉｎｅ−Ｐ）で行うことにより、リアルタイム性に優れた情報伝達が確保され、画像形成システムとしての各種タイミングに合致した確実な動作が確保される。
【０１６９】
また、以上のように、パラレル通信ではやり取りできない情報を、ＬＡＮ通信を使ってやり取りし、通紙のタイミングに関わる信号はパラレル通信で行うことによって、画像形成装置１００とサードベンダーの用紙処理装置４００とでそれぞれモード設定をするような操作は必要なく、操作者に対して使いやすい画像形成システムを構築することができる。
【０１７０】
〔画像形成システムの構成（４）〕
なお、以上の説明における画像形成システムの画像形成装置や用紙処理装置の配置や構成については、一例を示したものであり、各種の変形が可能である。
【０１７１】
すなわち、以上の画像形成システムの構成（１）〜（２）においては、画像形成装置１００、用紙処理装置３００、用紙処理装置４００が直列に接続された状態になっていたが、これに限定されるものではない。
【０１７２】
例えば、画像形成装置１００、複数台の用紙処理装置３００、用紙処理装置４００とが直列に接続された画像形成システムであっても良い。この場合、画像形成装置１００、最後尾以外の用紙処理装置３００、最後尾の用紙処理装置３００の前段側は、シリアル通信の通信経路Ｌｉｎｅ−Ｓで接続され、最後尾の用紙処理装置３００の後段側と用紙処理装置４００とはパラレル通信の通信経路Ｌｉｎｅ−Ｐで接続されると共に、画像形成装置１００と用紙処理装置４００とはＬＡＮ通信のネットワーク１で接続される。このような画像形成システムであっても、以上の動作説明と同様な動作が可能である。
【０１７３】
すなわち、画像形成装置１００と複数台の用紙処理装置３００とは第１専用通信経路Ｌｉｎｅ−Ｓで必要な情報を伝達し、画像形成装置１００は用紙処理装置４００とは用紙処理装置３００を介して第２専用通信経路Ｌｉｎｅ−Ｐで最低限必要な情報を伝達し、画像形成装置１００と用紙処理装置４００との間は汎用通信経路としてのネットワーク１を介して別な情報の伝達を行うため、異種装置を用紙処理装置４００として上流装置（画像形成装置１００と用紙処理装置３００）に対して接続した画像形成システムにおいても制限を生じさせずに動作状態を改善すること可能になる。
【０１７４】
また、この場合、汎用通信経路としてのネットワーク１を介して用紙処理装置４００から上流装置の画像形成装置１００に用紙処理情報が伝達された場合に、画像形成装置１００は、汎用通信経路としてのネットワーク１を介して用紙処理装置４００に対して第１処理情報を伝達し、第１専用通信経路Ｌｉｎｅ−Ｓを介して用紙処理装置３００に対して第１処理情報を含む第２処理情報を伝達し、複数の最後尾の用紙処理装置３００は、第２専用通信経路Ｌｉｎｅ−Ｐを介して用紙処理装置４００に対して第２処理情報の一部である第３処理情報を伝達するため、第２専用通信経路Ｌｉｎｅ−Ｐにより伝達される第３処理情報において欠落する情報を汎用通信経路としてのネットワーク１で第１処理情報として伝達することができるため、異種装置を用紙処理装置４００として接続した画像形成システムにおいても制限を生じさせずに動作状態を改善すること可能になる。
【０１７５】
ここで、第１処理情報は、ページ面付け及び禁則に関する情報であり、第２処理情報は、用紙長、搬送速度、坪量、排出タイミング、及び用紙処理タイミングに関する情報であり、第３処理情報は、排出及び用紙処理に関する情報である。これにより、第２専用通信経路Ｌｉｎｅ−Ｐにより伝達される第３処理情報において欠落する情報（ページ面付けや禁則に関する情報など）を汎用通信経路としてのネットワーク１で第１処理情報として伝達することができるため、異種装置を用紙処理装置４００として接続した画像形成システムにおいても制限を生じさせずに動作状態を改善すること可能になる。
【符号の説明】
【０１７６】
１  ネットワーク
１０  ＰＣ
１００  画像形成装置（上流装置）
１０１  制御部
１０２  通信部
１０３  操作表示部
１０４  記憶部
１０５  給紙部
１３０  画像データ記憶部
１４０  画像処理部
１５０  画像形成部
３００  用紙処理装置（上流装置）
４００  用紙処理装置（下流装置／のサードベンダーの用紙処理装置）
Ｌｉｎｅ−Ｓ  シリアル通信の第１専用通信経路
Ｌｉｎｅ−Ｐ  パラレル通信の第２専用通信経路
【図１】
2014201005.tif 000003
【図２】
2014201005.tif 000004
【図３】
2014201005.tif 000005
【図４】
2014201005.tif 000006
【図５】
2014201005.tif 000007
【図６】
2014201005.tif 000008
【図７】
2014201005.tif 000009
【図８】
2014201005.tif 000010
【図９】
2014201005.tif 000011
【図１０】
2014201005.tif 000012
【図１１】
2014201005.tif 000013
【図１２】
2014201005.tif 000014
【図１３】
2014201005.tif 000015
【図１４】
2014201005.tif 000016
【図１５】
2014201005.tif 000017
【図１６】
2014201005.tif 000018
【図１７】
2014201005.tif 000019
【図１８】
2014201005.tif 000020
【図１９】
2014201005.tif 000021
【図２０】
2014201005.tif 000022
【図２１】
2014201005.tif 000023